(57)【特許請求の範囲】
【請求項１】
軒樋と当該軒樋を覆うカバーとを軒先に取り付けるための軒樋取り付け具であって、
建物に固定される固定部材と、
前記軒樋が装着され且つ前記固定部材に対して前後方向に位置調節可能に取り付けられる樋装着部材と、
前記カバーが装着され且つ前記固定部材に対して前後方向にスライド自在に取り付けられるカバー支持部材と
を備えている
ことを特徴とする軒樋取り付け具。
【請求項２】
軒樋と当該軒樋を覆うカバーとを軒先に取り付けるための軒樋取り付け具であって、
建物に固定される固定部材と、
前記軒樋が装着され且つ前記固定部材に対して前後方向に位置調節可能に取り付けられる樋装着部材と、
前記カバーが装着され且つ前記固定部材に対して前後方向に位置調節可能に取り付けられるカバー支持部材と
を備え、
前記樋装着部材と前記カバー支持部材と前記固定部材とが、単一のボルトを介して相互に固定されている
ことを特徴とする軒樋取り付け具。
【請求項３】
前記樋装着部材が、前記ボルト螺合時における前記カバー支持部材の共回りを防止する共回り防止部を有している
ことを特徴とする請求項２記載の軒樋取り付け具。
【請求項４】
前記樋装着部材が、前記カバー支持部材の前後方向の位置決めを行なう位置決め部を有している
ことを特徴とする請求項１乃至請求項３のいずれか一項に記載の軒樋取り付け具。
【発明の詳細な説明】
【技術分野】
【０００１】
本発明は、軒樋と当該軒樋を覆うカバーとを軒先に取り付けるための軒樋取り付け具に関する。
【背景技術】
【０００２】
従来、軒樋と当該軒樋を覆うカバーとを軒先に取り付けるための軒樋取り付け具が知られている（例えば特許文献１参照）。この特許文献１記載の軒樋取り付け具は、建物に取り付けられた取着部材と、軒樋が装着され且つこの取着部材に対して前後方向に位置調節可能に取り付けられた保持部材とを備えている。またこの軒樋取り付け具は、軒樋を覆うカバー材を取り付けるための支持部材をさらに備えている。
【０００３】
この支持部材は、建物に設置された取着部材に固定される。支持部材は、カバー材が装着される上端折曲部に、長孔が穿設されている。支持部材は、この長孔により、カバー材の前後方向の位置を調節することができるよう構成されている。
【０００４】
施工者は、このような構成の軒樋取り付け具を横方向に所定の間隔をおいて建物に取り付け、軒樋を設置する。この後施工者は、横方向に所定の間隔をおいて並設されている支持部材上に、長尺なカバー材を設置する。施工者は、カバー材の前端と軒樋の前側の縁部との間の隙間を一定の間隔に保ちながら、カバー材を固定する。
【先行技術文献】
【特許文献】
【０００５】
【特許文献１】実開平０６−４２３４号公報
【発明の概要】
【発明が解決しようとする課題】
【０００６】
ところでこのカバー材を設置するに当たっては、軒樋の前側の縁部の位置とカバー材の前端の位置との位置関係や、カバー材の角度は、一定の関係に設定される必要がある。これは、カバー材の前端と軒樋の前側の縁部との間の隙間から、カバー材上を流下する雪や落ち葉などが進入するのを阻止しながら、一方で、カバー材を流下する雨水を流入させる必要があるからである。
【０００７】
この点について、特許文献１記載の軒樋取り付け具は、取着部材に固定された支持部材の上端の長孔によって、カバー材の位置が調節される。施工者は、長尺なカバー材を把持し、当該カバー材と軒樋の前側の縁部との間に一定の位置関係を形成しながら、当該カバー材を順に仮固定し、その後本固定してカバー材を設置する。
【０００８】
このように従来の軒樋取り付け具を用いて作業する場合、施工者は予め固定されて位置調節できない支持部材に対し、カバー材を位置調節しながら装着する必要がある。すなわち施工者は、カバー材の前端と軒樋の前側の縁部との関係を一定の関係に保つよう設置するためには、長尺で扱いにくいカバー材の位置を微調整する必要があり、作業が煩雑になるという問題があった。
【０００９】
本発明は、上記事情に鑑みてなされたものであり、その目的とするところは、施工者が軒樋を覆うカバーを所定の位置に設置するに当たり、施工性を向上させることができる軒樋取り付け具を提供することにある。
【課題を解決するための手段】
【００１０】
本発明の軒樋取り付け具は、軒樋と当該軒樋を覆うカバーとを軒先に取り付けるための軒樋取り付け具であって、建物に固定される固定部材と、前記軒樋が装着され且つ前記固定部材に対して前後方向に位置調節可能に取り付けられる樋装着部材と、前記カバーが装着され且つ前記固定部材に対して前後方向にスライド自在に取り付けられるカバー支持部材とを備えていることを特徴とする。
【００１１】
また本発明の軒樋取り付け具は、軒樋と当該軒樋を覆うカバーとを軒先に取り付けるための軒樋取り付け具であって、建物に固定される固定部材と、前記軒樋が装着され且つ前記固定部材に対して前後方向に位置調節可能に取り付けられる樋装着部材と、前記カバーが装着され且つ前記固定部材に対して前後方向に位置調節可能に取り付けられるカバー支持部材とを備え、前記樋装着部材と前記カバー支持部材と前記固定部材とが、単一のボルトを介して相互に固定されていることを特徴とする。
【００１２】
またこの軒樋取り付け具において、前記樋装着部材が、前記ボルト螺合時における前記カバー支持部材の共回りを防止する共回り防止部を有していることが好ましい。
【００１３】
またこの軒樋取り付け具において、前記樋装着部材が、前記カバー支持部材の前後方向の位置決めを行なう位置決め部を有していることが好ましい。
【発明の効果】
【００１４】
本発明の軒樋取り付け具によれば、施工者が軒樋を覆うカバーを所定の位置に設置するに当たり、施工性を向上させることができる。
【図面の簡単な説明】
【００１５】
【図１】本実施形態の軒樋取り付け具の側面図を示し（ａ）は樋装着部材が後方側に位置している図であり（ｂ）は樋装着部材が前方側に位置している図である。
【図２】上記実施形態の軒樋取り付け具の前方からみた斜視図である。
【図３】上記実施形態の軒樋取り付け具の後方からみた斜視図である。
【図４】上記実施形態の樋装着部材とカバー支持部材とを示す斜視図である。
【図５】上記実施形態の軒樋取り付け具において、樋装着部材が後方側に位置した状態の側面図である。
【図６】上記実施形態の軒樋取り付け具において、樋装着部材が前方側に位置した状態の側面図である。
【発明を実施するための形態】
【００１６】
以下、本発明の実施形態について添付図面に基づいて説明する。
【００１７】
本実施形態の軒樋取り付け具１は、図５，６に示されるように、建物の軒先の鼻隠９に取り付けられる。軒樋取り付け具１は、屋根勾配方向（つまり軒棟方向）に直角な方向（つまり桁行方向）に、所定の間隔をおいて複数設置される。所定間隔をおいて設置された軒樋取り付け具１には、桁行方向に長い軒樋７が装着される。本実施形態の軒樋取り付け具１は、図１に示されるように、建物に取り付けられる固定部材２と、軒樋７が装着される樋装着部材３と、軒樋７上を覆うカバー８が装着されるカバー支持部材５とを備えている。なお図５，６中の符号９１は屋根材を示し、符号９２は野地板等の屋根下地材を示す。
【００１８】
固定部材２は、軒先の鼻隠９に固定され、軒樋７が装着された樋装着部材３を吊持して支持する。固定部材２は、図２に示されるように、建物に固定される取付部２１と、この取付部２１から前方に向けて突設された保持部２３とにより構成されている。本実施形態の固定部材２は、取付部２１と保持部２３とが合成樹脂により一体成形されている。
【００１９】
取付部２１は、板状に形成されており、その背面が鼻隠９の表面に沿うよう前傾している。取付部２１は、複数の固着具挿通孔２２が穿設されている。取付部２１は、この固着具挿通孔２２に固着具が挿通され、建物側に固設される。
【００２０】
保持部２３は、樋装着部材３を吊持し固定する。保持部２３は、その先端に上下方向に貫通し且つ樋装着部材３を取り付けるための第１の取付孔２４が穿設されている。本実施形態の第１の取付孔２４は、丸孔により構成されている。保持部２３は、幅方向（前後方向に直角な方向）の両端から下方に向けて突設され且つ樋装着部材３の前後移動をガイドするガイド片２５を備えている。各ガイド片２５は、樋装着部材３の幅方向の両端に当接又は近接対向するよう設けられている。
【００２１】
樋装着部材３は、軒樋７が装着され、固定部材２に対して前後方向に位置調節できるように取り付けられる。樋装着部材３は、図４に示されるように、前後方向の中間部分に位置する本体部３１と、この本体部３１の前後方向の両端に設けられて軒樋７を保持する樋保持部３５とを備えている。また樋装着部材３は、カバー支持部材５の前部と当接して当該カバー支持部材５の前後方向の位置決めをする位置決め部４３をさらに備えている。
【００２２】
本体部３１は、前後に長く形成されている。本体部３１は、略水平な姿勢となるよう固定部材２に支持される。本体部３１は、前後方向の中央で且つ幅方向の中央に、固定部材２の第１の取付孔２４に連通する第２の取付孔３２が穿設されている。本実施形態の第２の取付孔３２は、前後方向に長い長孔により構成されている。また本体部３１は、幅方向の両端縁に、前後方向に長い突条３３が上方に向けて突設されている。この一対の突条３３は、カバー支持部材５の共回りを防止する機能を有し、本実施形態における共回り防止部３４を構成する。
【００２３】
樋保持部３５は、図１に示されるように、上方に開口する断面Ｃ字状の軒樋７を着脱自在に保持・固定する。本実施形態の軒樋７は、長手方向に一様な断面に形成されている。軒樋７は、後方側の側壁７１と、底壁７２と、前方側の側壁７３とが連続した形状となっている。軒樋７は、後方側の側壁７１の上端縁に形成され且つ前方又は後方に膨出する第１の係止部７４と、前方側の側壁７３に形成された第２の係止部７５とをさらに備えている。軒樋７は、後方側の側壁７１，底壁７２，前方側の側壁７３、並びに第１の係止部７４及び第２の係止部７５が一体成形されている。軒樋７は、例えば合成樹脂を押し出し成形することにより成形される。
【００２４】
樋保持部３５は、軒樋７の後方側の端縁に形成された第１の係止部７４を係止する後方側被係止部３６と、軒樋７の前方側の端縁に形成された第２の係止部７５を係止する前方側被係止部３９とを備えている。
【００２５】
後方側被係止部３６は、本体部３１の後方側の端部に設けられている。後方側被係止部３６は、図４に示されるように、軒樋７の第１の係止部７４を係止する係止爪３７と、この係止爪３７の先端に対し軒樋７の肉厚程の間隙を介して対向配置された対向片３８とにより構成されている。係止爪３７は、その先端がやや上方に臨んでおり、第１の係止部７４を引っ掛けることができるよう構成されている。
【００２６】
前方側被係止部３９は、本体部３１の前方側の端部から延設されている。前方側被係止部３９は、本体部３１の前方側の端部から上方に向けて突設された立設部４０と、この立設部４０の上端に設けられ且つ軒樋７の第２の係止部７５を係止する断面Ｌ字状の係止片４１とを備えている。この係止片４１は、後方側被係止部３６よりも上方に位置している。立設部４０は、後方側の面に、複数の補強リブ部４２を有している。この補強リブ部４２は、その突出端面がカバー支持部材５に当接する。本実施形態において、この補強リブ部４２の突出面が、カバー支持部材５の前後方向の位置決めを行なう位置決め部４３を構成している。
【００２７】
カバー支持部材５には、軒樋７の上開口を覆うカバー８が装着される。本実施形態のカバー８は、図１に示されるように、その長手方向が、軒先に沿って配設された軒樋７と略平行に設置される。カバー８は、桁行方向に長く形成された平面視帯形状をしている。カバー８は、上面が平坦面となっており、その背面にカバー支持部材５への取付部分となる被取着部８１が設けられている。
【００２８】
カバー支持部材５は、固定部材２に対して前後方向に位置調節できるように取り付けられる。本実施形態のカバー支持部材５は、固定部材２に対しては前後方向に位置調節可能となっているが、樋装着部材３に対しては前方側及び左右方向への移動が規制されている。カバー支持部材５は、図４に示されるように、樋装着部材３の本体部３１上に載設される固着部５１と、前方に向けて突出するよう屈曲し且つ固着部５１の前端から延設された凸曲部５３と、この凸曲部５３の上端に延設された取着部５４とを備えている。カバー支持部材５は、これら固着部５１及び凸曲部５３及び取着部５４が、例えば、金属板を曲げ加工することで一体に成形されている。
【００２９】
固着部５１は、その長手方向が樋装着部材３の本体部３１に沿って設置される。固着部５１は、本体部３１の第２の取付孔３２に連通する第３の取付孔５２を有している。本実施形態の第３の取付孔５２は、第２の取付孔３２と同じように、長孔により構成されている。固着部５１は、本体部３１の幅方向の両側に設けられた突条３３間に設置される。固着部５１は、カバー支持部材５と樋装着部材３と固定部材２とが組み立てられると、樋装着部材３と固定部材２との間に配置される。
【００３０】
凸曲部５３は、前方に向けて凸となっており、この前端部分が、樋装着部材３の立設部４０の補強リブ部４２に当接する。カバー支持部材５は、凸曲部５３が樋装着部材３の立設部４０に当接した状態で固定されることで、樋装着部材３に対して所定の位置に位置決めされた状態で固定される。
【００３１】
取着部５４は、カバー８の平坦な上面が所定角度に傾斜するよう、カバー８を傾倒させた状態で支持固定する。取着部５４は、凸曲部５３の上端から上方に向けて連設された基部５７と、この基部５７の上端から後斜め上方に向けて連設された第１の取着片５５と、基部５７の上端から前斜め下方に向けて連設された第２の取着片５６とにより構成されている。この第１の取着片５５と第２の取着片５６は、同一平面上に形成されており、水平面に対し所定の角度傾いている。
【００３２】
このカバー支持部材５は、取着部５４にカバー８が取り付けられ、凸曲部５３が樋装着部材３の立設部４０に当接すると、軒樋７の前方側の端縁（つまり前耳部）とカバー８の前端との相対的な位置やカバー８の傾斜角度を、所定の関係となるよう配置する。なお、この所定の関係とは、カバー８の前端と軒樋７の前側の端縁との間の間隙から、カバー８上を流下する雪や落ち葉などが進入するのを阻止し、且つカバー８を流下する雨水を流入させることができる関係をいう。
【００３３】
このような構成の軒樋取り付け具１は、次のようにして組み立てられる。
【００３４】
施工者は、カバー支持部材５を、凸曲部５３の前端を樋装着部材３の立設部４０に当接した状態で、樋装着部材３の本体部３１上面に載置する。次いで施工者は、固定部材２の保持部２３の下方に、このカバー支持部材５が載置された樋装着部材３を配置する。そして固定部材２の第１の取付孔２４と、樋装着部材３の第２の取付孔３２と、カバー支持部材５の第３の取付孔５２とを連通させ、これら取付孔２４，３２，５２に下方から単一のボルト６を挿通する。次いで、施工者は、蝶ナット６１をボルト６に螺合させ、固定部材２とカバー支持部材５と樋装着部材３とを相互に固定する。これにより本実施形態の軒樋取り付け具１が組み立てられる。
【００３５】
このような構成の軒樋取り付け具１は、例えば次のようにして使用される。
【００３６】
軒先の突出寸法が小さい場合、施工者は、軒樋７が装着された樋装着部材３を、固定部材２に対して突出寸法が小さくなるよう（つまり後方側に）位置させる（図５参照）。このときカバー支持部材５の凸曲部５３の前端を樋装着部材３の位置決め部４３に当接させた状態でカバー支持部材５を設置することで、カバー支持部材５と樋装着部材３との位置関係は一定となる。この状態で、施工者は蝶ナット６１を螺合して、固定部材２と樋装着部材３とカバー支持部材５とを相互に固定する。
【００３７】
施工者は、軒樋７に沿って複数配設された固定部材２と樋装着部材３に対し、カバー支持部材５を順に固定する。なお、この時点ではカバー８は装着されていない。
【００３８】
次いで、固定されたカバー支持部材５に長尺なカバー８を嵌め込み固定し、軒樋７を覆うようにしてカバー８を設置する。これにより軒樋７の前側の端縁とカバー８の前端との位置関係やカバー８の傾斜角度が所定の関係を形成する。
【００３９】
次に、軒先の突出寸法が大きい場合を説明する。施工者は、軒樋７が装着された樋装着部材３を、固定部材２に対して突出寸法が大きくなるよう（つまり前方側に）位置させる（図６参照）。このときカバー支持部材５の凸曲部５３の前端を樋装着部材３の位置決め部４３に当接させた状態でカバー支持部材５を設置することで、カバー支持部材５と樋装着部材３との位置関係は一定となる。この状態で、施工者は蝶ナット６１を螺合して、固定部材２と樋装着部材３とカバー支持部材５とを相互に固定する。
【００４０】
施工者は、先程と同様にして、軒樋７に沿って複数配設された固定部材２と樋装着部材３に対し、カバー支持部材５を順に固定する。次いで、固定されたカバー支持部材５に長尺なカバー８を嵌め込み固定し、軒樋７を覆うようにしてカバー８を設置する。これにより軒樋７の前側の縁部とカバー８の前端との位置関係やカバー８の傾斜角度が、所定の関係を形成する。
【００４１】
本実施形態の軒樋取り付け具１は、樋装着部材３とカバー支持部材５とが、固定部材２に対して前後方向に位置調整可能に取り付けられているため、施工者は、カバー８を取り付けない状態で、カバー支持部材５を位置調節することができる。すなわち、調節しやすいカバー支持部材５を位置調節した上で、カバー８を設置することができるので、施工者は作業しやすい。
【００４２】
しかも本実施形態の軒樋取り付け具１は、樋装着部材３とカバー支持部材５とが単一のボルト６を介して相互に固定されているため、軒樋７の位置調節及びカバー８の位置調節を、ひとつのボルト６を操作するだけで、行なうことができる。これにより施工者は、作業の効率の向上や省力化を図ることができる。
【００４３】
また本実施形態の軒樋取り付け具１は、樋装着部材３が、カバー支持部材５の前後方向の位置決めを行なう位置決め部４３を有しているため、簡単にカバー支持部材５を所定の位置に配置することができる。これにより、従来のようにカバー８を持ちながら所定の配置関係になるよう、カバー８の位置調節を行なうものに比べ、大幅に作業性を向上させることができ、施工ミスを減らすことも可能である。
【００４４】
また本実施形態の軒樋取り付け具１は、樋装着部材３が共回り防止部３４を有しているため、単一のボルト６で樋装着部材３と前記カバー支持部材５と前記固定部材２とを組み立てた場合であっても、カバー支持部材５が共回りするのを防ぐことができる。
【００４５】
また本実施形態の軒樋取り付け具１は、カバー支持部材５が、樋装着部材３及び固定部材２に対して別部材により形成されているため、カバー支持部材５を有していない既設された軒樋取り付け具１に対しても、カバー支持部材５を後付け的に取り付けることができる。
【００４６】
なお、本実施形態の軒樋取り付け具１は、カバー支持部材５が凸曲部５３を有し、樋装着部材３の位置決め部４３に当接することで、カバー８の前後方向の位置決めを行なっていたが、本発明においては位置決め部４３が形成されていなくてもよい。つまり本発明におけるカバー支持部材は、固定部材だけでなく樋装着部材に対しても相対的に位置調節可能に構成されていてもよい。
【００４７】
ところで、本実施形態の軒樋取り付け具１は、固定部材２の第１の取付孔２４が丸孔により構成され、樋装着部材３の第２の取付孔３２及びカバー支持部材５の第３の取付孔５２が長孔により構成されていた。この変形例として、固定部材２の第１の取付孔２４が長孔により構成され、樋装着部材３の第２の取付孔３２及びカバー支持部材５の第３の取付孔５２が丸孔により構成されたものであってもよい。さらに言えば、第１の取付孔２４，第２の取付孔３２及び第３の取付孔５２が、いずれも長孔により構成されていてもよい。
【００４８】
また、本実施形態の軒樋取り付け具１は、樋装着部材３と前記カバー支持部材５と前記固定部材２との三者が、単一のボルト６により一体に固定された構成となっていたが、本発明においては、複数のボルトを介して相互に固定したものであってもよい。さらに、三者を固定する手段はボルト６でなくてもよい。すなわち、本発明において、樋装着部材とカバー支持部材と固定部材とが、単一のボルトを介して相互に固定されている点や、相互の固定にボルトを使用する点は、必ずしも必要な構成ではない。
【００４９】
また、本実施形態の軒樋取り付け具１は、樋装着部材３に、共回り防止部３４が形成されていたが、本発明の軒樋取り付け具において、共回り防止部３４は必ずしも必要な構成ではない。
【００５０】
さらに本実施形態の軒樋取り付け具１は、軒先の鼻隠９に取り付けられたが、例えば、鉛直な外壁に取り付けてもよく、この点限定されるものではない。
【符号の説明】
【００５１】
１      軒樋取り付け具
２      固定部材
２１    取付部
２３    保持部
２４    第１の取付孔
２５    ガイド片
３      樋装着部材
３１    本体部
３２    第２の取付孔
３３    突条
３４    共回り防止部
３５    樋保持部
３６    後方側被係止部
３９    前方側被係止部
４０    立設部
４２    補強リブ部
４３    位置決め部
５      カバー支持部材
５２    第３の取付孔
５３    凸曲部
６      ボルト
６１    蝶ナット
７      軒樋
８      カバー
【図１】
0005616840.tif 000002
【図２】
0005616840.tif 000003
【図３】
0005616840.tif 000004
【図４】
0005616840.tif 000005
【図５】
0005616840.tif 000006
【図６】
0005616840.tif 000007